(57)【要約】  本願はデータ伝送方法、端末装置及びネットワーク装置を開示し、該方法は、端末装置が第１帯域幅パート及び第２帯域幅パートを決定することと、前記端末装置が特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うことと、を含む。データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
2020534720.tif 000002
【特許請求の範囲】
【請求項１】
データ伝送方法であって、
端末装置が第１帯域幅パート及び第２帯域幅パートを決定することと、
前記端末装置が特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うことと、を含むことを特徴とするデータ伝送方法。
【請求項２】
前記端末装置が第１帯域幅パート及び第２帯域幅パートを決定することは、
前記端末装置がネットワーク装置から送信された第１設定情報及び第２設定情報を受信し、前記第１設定情報は前記第１帯域幅パートの帯域幅情報を含み、前記第２設定情報は前記第２帯域幅パートの帯域幅情報を含むことと、
前記端末装置が、前記第１設定情報に基づいて前記第１帯域幅パートを決定し、前記第２設定情報に基づいて前記第２帯域幅パートを決定することと、を含むことを特徴とする請求項１に記載の方法。
【請求項３】
前記端末装置が第１帯域幅パート及び第２帯域幅パートを決定することは、
前記端末装置がネットワーク装置から送信された第２設定情報及び第３設定情報を受信し、前記第２設定情報は前記第２帯域幅パートの帯域幅情報を含み、前記第３設定情報は前記ＲＲＭ測定における前記端末装置の測定対象の少なくとも１つの信号の占有する帯域の情報を含むことと、
前記端末装置が、前記第２設定情報に基づいて前記第２帯域幅パートを決定し、前記第３設定情報に基づいて第３帯域幅パートを決定し、前記第３帯域幅パートは前記少なくとも１つの信号の占有する帯域を含むことと、
前記端末装置が前記第２帯域幅パート及び前記第３帯域幅パートに基づき、前記第１帯域幅パートを決定することと、を含むことを特徴とする請求項１に記載の方法。
【請求項４】
前記第１帯域幅パートが前記第２帯域幅パート及び前記第３帯域幅パートを含み、前記第２帯域幅パートと前記第３帯域幅パートとは少なくとも部分的に重畳し又は重畳しないことを特徴とする請求項３に記載の方法。
【請求項５】
前記第１帯域幅パートがシステム帯域幅全体を含むことを特徴とする請求項１〜４のいずれか１項に記載の方法。
【請求項６】
前記帯域幅情報は中心周波数、帯域幅サイズ及びサブキャリア間隔のうちの少なくとも１つを含むことを特徴とする請求項１〜５のいずれか１項に記載の方法。
【請求項７】
前記特定の時間領域リソースは時間周期で分布される複数の時間領域リソースを含むことを特徴とする請求項１〜６のいずれか１項に記載の方法。
【請求項８】
前記時間周期は前記端末装置が前記ＲＲＭ測定を行うための時間周期であることを特徴とする請求項７に記載の方法。
【請求項９】
前記ＲＲＭ測定における前記端末装置の測定対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含むことを特徴とする請求項１〜８のいずれか１項に記載の方法。
【請求項１０】
データ伝送方法であって、
ネットワーク装置が端末装置に第１設定情報又は第３設定情報を送信し、前記第１設定情報は第１帯域幅パートの帯域幅情報を含み、前記第３設定情報は前記端末装置が無線リソース管理（ＲＲＭ）測定を行うための送信対象の少なくとも１つの信号の占有する帯域の情報を含み、前記第１設定情報及び前記第３設定情報は前記端末装置が前記第１帯域幅パートを決定することに用いられ、そうすると、前記端末装置は特定の時間領域リソースにおいて前記第１帯域幅パートを用いてデータ伝送及び前記ＲＲＭ測定を行うことと、
前記ネットワーク装置が前記端末装置に第２設定情報を送信し、前記第２設定情報は前記第２帯域幅パートの帯域幅情報を含み、そうすると、前記端末装置は前記特定の時間領域リソース以外の他の時間領域リソースにおいて前記第２帯域幅パートを用いて前記データ伝送を行うことと、を含むことを特徴とするデータ伝送方法。
【請求項１１】
前記ネットワーク装置が前記端末装置に前記第１設定情報を送信する場合、前記方法は、更に、
前記ネットワーク装置が、前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、
前記ネットワーク装置が前記第２帯域幅パート及び前記第３帯域幅パートに基づき、前記第１帯域幅パートを決定することと、を含むことを特徴とする請求項１０に記載の方法。
【請求項１２】
前記第１帯域幅パートが前記第２帯域幅パート及び第３帯域幅パートを含み、前記第２帯域幅パートと前記第３帯域幅パートとは少なくとも部分的に重畳し又は重畳しないことを特徴とする請求項１１に記載の方法。
【請求項１３】
前記第１帯域幅パートがシステム帯域幅全体を含むことを特徴とする請求項１０〜１２のいずれか１項に記載の方法。
【請求項１４】
前記帯域幅情報は中心周波数、帯域幅サイズ及びサブキャリア間隔のうちの少なくとも１つを含むことを特徴とする請求項１０〜１３のいずれか１項に記載の方法。
【請求項１５】
前記特定の時間領域リソースは時間周期で分布される複数の時間領域リソースを含むことを特徴とする請求項１０〜１４のいずれか１項に記載の方法。
【請求項１６】
前記時間周期は前記端末装置が前記ＲＲＭ測定を行う時間周期であることを特徴とする請求項１５に記載の方法。
【請求項１７】
前記端末装置が前記ＲＲＭ測定を行うための送信対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含むことを特徴とする請求項１０〜１６のいずれか１項に記載の方法。
【請求項１８】
端末装置であって、
第１帯域幅パート及び第２帯域幅パートを決定するための決定ユニットと、
特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うための送受信ユニットと、を備えることを特徴とする端末装置。
【請求項１９】
前記送受信ユニットは、更に、
ネットワーク装置から送信された第１設定情報及び第２設定情報を受信し、前記第１設定情報は前記第１帯域幅パートの帯域幅情報を含み、前記第２設定情報は前記第２帯域幅パートの帯域幅情報を含むことに用いられ、
前記決定ユニットは、具体的に、
前記第１設定情報に基づいて前記第１帯域幅パートを決定し、且つ前記第２設定情報に基づいて前記第２帯域幅パートを決定することに用いられることを特徴とする請求項１８に記載の端末装置。
【請求項２０】
前記送受信ユニットは、更に、
ネットワーク装置から送信された第２設定情報及び第３設定情報を受信し、前記第２設定情報は前記第２帯域幅パートの帯域幅情報を含み、前記第３設定情報は前記ＲＲＭ測定における前記端末装置の測定対象の少なくとも１つの信号の占有する帯域の情報を含むことに用いられ、
前記決定ユニットは、具体的に、
前記第２設定情報に基づいて前記第２帯域幅パートを決定し、且つ前記第３設定情報に基づいて第３帯域幅パートを決定し、前記第３帯域幅パートは前記少なくとも１つの信号の占有する帯域を含むことと、
前記第２帯域幅パート及び前記第３帯域幅パートに基づき、前記第１帯域幅パートを決定することとに用いられることを特徴とする請求項１８に記載の端末装置。
【請求項２１】
前記第１帯域幅パートが前記第２帯域幅パート及び前記第３帯域幅パートを含み、前記第２帯域幅パートと前記第３帯域幅パートとは少なくとも部分的に重畳し又は重畳しないことを特徴とする請求項２０に記載の端末装置。
【請求項２２】
前記第１帯域幅パートがシステム帯域幅全体を含むことを特徴とする請求項１８〜２１のいずれか１項に記載の端末装置。
【請求項２３】
前記帯域幅情報は中心周波数、帯域幅サイズ及びサブキャリア間隔のうちの少なくとも１つを含むことを特徴とする請求項１８〜２２のいずれか１項に記載の端末装置。
【請求項２４】
前記特定の時間領域リソースは時間周期で分布される複数の時間領域リソースを含むことを特徴とする請求項１８〜２３のいずれか１項に記載の端末装置。
【請求項２５】
前記時間周期は前記端末装置が前記ＲＲＭ測定を行うための時間周期であることを特徴とする請求項２４に記載の端末装置。
【請求項２６】
前記ＲＲＭ測定における前記端末装置の測定対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含むことを特徴とする請求項１８〜２５のいずれか１項に記載の端末装置。
【請求項２７】
ネットワーク装置であって、
端末装置に第１設定情報又は第３設定情報を送信し、前記第１設定情報は第１帯域幅パートの帯域幅情報を含み、前記第３設定情報は前記端末装置が無線リソース管理（ＲＲＭ）測定を行うための送信対象の少なくとも１つの信号の占有する帯域の情報を含み、前記第１設定情報及び前記第３設定情報は前記端末装置が前記第１帯域幅パートを決定することに用いられ、そうすると、前記端末装置は特定の時間領域リソースにおいて前記第１帯域幅パートを用いてデータ伝送及び前記ＲＲＭ測定を行う送受信ユニットを備え、
前記送受信ユニットは、更に、前記端末装置に第２設定情報を送信し、前記第２設定情報は前記第２帯域幅パートの帯域幅情報を含み、そうすると、前記端末装置は前記特定の時間領域リソース以外の他の時間領域リソースにおいて前記第２帯域幅パートを用いて前記データ伝送を行うことに用いられることを特徴とするネットワーク装置。
【請求項２８】
前記ネットワーク装置は、更に、
前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、
前記第２帯域幅パート及び前記第３帯域幅パートに基づき、前記第１帯域幅パートを決定することとに用いられる決定ユニットを備えることを特徴とする請求項２７に記載のネットワーク装置。
【請求項２９】
前記第１帯域幅パートが前記第２帯域幅パート及び第３帯域幅パートを含み、前記第２帯域幅パートと前記第３帯域幅パートとは少なくとも部分的に重畳し又は重畳しないことを特徴とする請求項２８に記載のネットワーク装置。
【請求項３０】
前記第１帯域幅パートがシステム帯域幅全体を含むことを特徴とする請求項２７〜２９のいずれか１項に記載のネットワーク装置。
【請求項３１】
前記帯域幅情報は中心周波数、帯域幅サイズ及びサブキャリア間隔のうちの少なくとも１つを含むことを特徴とする請求項２７〜３０のいずれか１項に記載のネットワーク装置。
【請求項３２】
前記特定の時間領域リソースは時間周期で分布される複数の時間領域リソースを含むことを特徴とする請求項２７〜３１のいずれか１項に記載のネットワーク装置。
【請求項３３】
前記時間周期は前記端末装置が前記ＲＲＭ測定を行う時間周期であることを特徴とする請求項３２に記載のネットワーク装置。
【請求項３４】
前記端末装置が前記ＲＲＭ測定を行うための送信対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含むことを特徴とする請求項２７〜３３のいずれか１項に記載のネットワーク装置。
【発明の詳細な説明】
【技術分野】
【０００１】
本願の実施例は無線通信分野に関し、より具体的に、データ伝送方法、端末装置及びネットワーク装置に関する。
【背景技術】
【０００２】
ロングタームエボリューション（ＬＴＥ、Ｌｏｎｇ  Ｔｅｒｍ  Ｅｖｏｌｕｔｉｏｎ）システムにおいて、データを伝送する周波数領域リソースはすべてシステム帯域幅全体において割り当てられる。ところが、５Ｇ新無線（ＮＲ、Ｎｅｗ  Ｒａｄｉｏ）システムにおいては、システム帯域幅が大幅に拡大されるため、端末装置の伝送帯域幅はシステム帯域幅の一部のみを占有する可能性がある。例えば、ネットワーク装置がシステム帯域幅を複数の伝送帯域に分け、各伝送帯域は１つの帯域幅パート（ＢＷＰ、Ｂａｎｄｗｉｄｔｈ  Ｐａｒｔ）と称され、端末装置はその対応する帯域幅パートにおいてデータ伝送を行えばよい。
【０００３】
５Ｇシステムにおいて、端末装置が無線リソース管理（ＲＲＭ、Ｒａｄｉｏ  Ｒｅｓｏｕｒｃｅ  Ｍａｎａｇｅｍｅｎｔ）の測定を行うとき、異なるセルからの信号、例えば同期信号ブロック（ＳＳ  Ｂｌｏｃｋ、Ｓｙｎｃｈｒｏｎｉｚａｔｉｏｎ  Ｓｉｇｎａｌ  Ｂｌｏｃｋ）が異なる周波数位置に位置する可能性があるため、端末装置は異なる周波数位置で異なるセルの信号を測定する必要がある。異なるセルからのＳＳ  ｂｌｏｃｋの位置する異なる周波数位置が周波数領域において相違が大きければ、端末は比較的に大きい受信帯域幅を用いなければすべてのセルのＳＳ  Ｂｌｏｃｋを同時に受信することはできない。この時、ネットワーク装置が端末装置に設定したデータ伝送のためのＢＷＰは端末装置のＲＲＭ測定を行うニーズを満たせない可能性がある。
【発明の概要】
【発明が解決しようとする課題】
【０００４】
本願の実施例はデータ伝送方法、端末装置及びネットワーク装置を提供し、端末装置はその対応する帯域幅パートにおいてデータ伝送を効果的に行うとともに、ＲＲＭ測定ニーズを満たすことができる。
【課題を解決するための手段】
【０００５】
第１態様では、データ伝送方法を提供し、該方法は、端末装置が第１帯域幅パート及び第２帯域幅パートを決定することと、前記端末装置が特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うことと、を含む。
【０００６】
従って、端末装置が２つの異なる伝送帯域幅を決定して、異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【０００７】
１つの可能な実現方式では、前記端末装置が第１帯域幅パート及び第２帯域幅パートを決定することは、前記端末装置がネットワーク装置から送信された第１設定情報及び第２設定情報を受信し、前記第１設定情報は前記第１帯域幅パートの帯域幅情報を含み、前記第２設定情報は前記第２帯域幅パートの帯域幅情報を含むことと、前記端末装置が、前記第１設定情報に基づいて前記第１帯域幅パートを決定し、前記第２設定情報に基づいて前記第２帯域幅パートを決定することと、を含む。
【０００８】
１つの可能な実現方式では、前記端末装置が第１帯域幅パート及び第２帯域幅パートを決定することは、前記端末装置がネットワーク装置から送信された第２設定情報及び第３設定情報を受信し、前記第２設定情報は前記第２帯域幅パートの帯域幅情報を含み、前記第３設定情報は前記ＲＲＭ測定における前記端末装置の測定対象の少なくとも１つの信号の占有する帯域の情報を含むことと、前記端末装置が前記第２設定情報に基づいて前記第２帯域幅パートを決定し、前記第３設定情報に基づいて第３帯域幅パートを決定し、前記第３帯域幅パートは前記少なくとも１つの信号の占有する帯域を含むことと、前記端末装置が前記第２帯域幅パート及び前記第３帯域幅パートに基づき、前記第１帯域幅パートを決定することと、を含む。
【０００９】
１つの可能な実現方式では、前記第１帯域幅パートは前記第２帯域幅パート及び前記第３帯域幅パートを含み、前記第２帯域幅パートと前記第３帯域幅パートとは少なくとも部分的に重畳し又は重畳しない。
【００１０】
１つの可能な実現方式では、前記第１帯域幅パートはシステム帯域幅全体を含む。
【００１１】
１つの可能な実現方式では、前記帯域幅情報は中心周波数、帯域幅サイズ及びサブキャリア間隔のうちの少なくとも１つを含む。
【００１２】
１つの可能な実現方式では、前記特定の時間領域リソースは時間周期で分布される複数の時間領域リソースを含む。
【００１３】
１つの可能な実現方式では、前記時間周期は前記端末装置が前記ＲＲＭ測定を行うための時間周期である。
【００１４】
１つの可能な実現方式では、前記ＲＲＭ測定における前記端末装置の測定対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含む。
【００１５】
第２態様では、データ伝送方法を提供し、該方法は、ネットワーク装置が端末装置に第１設定情報又は第３設定情報を送信し、前記第１設定情報は第１帯域幅パートの帯域幅情報を含み、前記第３設定情報は前記端末装置が無線リソース管理（ＲＲＭ）測定を行うための送信対象の少なくとも１つの信号の占有する帯域の情報を含み、前記第１設定情報及び前記第３設定情報は前記端末装置が前記第１帯域幅パートを決定することに用いられ、そうすると、前記端末装置は特定の時間領域リソースにおいて前記第１帯域幅パートを用いてデータ伝送及び前記ＲＲＭ測定を行うことができることと、前記ネットワーク装置が前記端末装置に第２設定情報を送信し、前記第２設定情報は前記第２帯域幅パートの帯域幅情報を含み、そうすると、前記端末装置は前記特定の時間領域リソース以外の他の時間領域リソースにおいて前記第２帯域幅パートを用いて前記データ伝送を行うことと、を含む。
【００１６】
従って、ネットワーク装置が端末装置のデータ伝送及びＲＲＭ測定を行う異なるニーズに応じて、２つの異なる帯域幅パートを端末装置に設定することにより、端末装置は異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００１７】
１つの可能な実現方式では、前記ネットワーク装置が前記端末装置に前記第１設定情報を送信する場合、前記方法は、更に、前記ネットワーク装置が、前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、前記ネットワーク装置が前記第２帯域幅パート及び前記第３帯域幅パートに基づき、前記第１帯域幅パートを決定することと、を含む。
【００１８】
１つの可能な実現方式では、前記第１帯域幅パートは前記第２帯域幅パート及び第３帯域幅パートを含み、前記第２帯域幅パートと前記第３帯域幅パートとは少なくとも部分的に重畳し又は重畳しない。
【００１９】
１つの可能な実現方式では、前記第１帯域幅パートはシステム帯域幅全体を含む。
【００２０】
１つの可能な実現方式では、前記帯域幅情報は中心周波数、帯域幅サイズ及びサブキャリア間隔のうちの少なくとも１つを含む。
【００２１】
１つの可能な実現方式では、前記特定の時間領域リソースは時間周期で分布される複数の時間領域リソースを含む。
【００２２】
１つの可能な実現方式では、前記時間周期は前記端末装置が前記ＲＲＭ測定を行う時間周期である。
【００２３】
１つの可能な実現方式では、前記端末装置が前記ＲＲＭ測定を行うための送信対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含む。
【００２４】
第３態様では、端末装置を提供し、該端末装置は上記第１態様又は第１態様の任意の可能な実現方式における端末装置の操作を実行することができる。具体的に、該端末装置は上記第１態様又は第１態様の任意の可能な実現方式における端末装置の操作を実行するためのモジュールユニットを備えてもよい。
【００２５】
第４態様では、ネットワーク装置を提供し、該ネットワーク装置は上記第２態様又は第２態様の任意の可能な実現方式におけるネットワーク装置の操作を実行することができる。具体的に、該ネットワーク装置は上記第２態様又は第２態様の任意の可能な実現方式におけるネットワーク装置の操作を実行するためのモジュールユニットを備えてもよい。
【００２６】
第５態様では、端末装置を提供し、該端末装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該端末装置は第１態様又は第１態様の任意の可能な実現方式における方法を実行し、又は該実行によって該端末装置は第３態様に係る端末装置を実現する。
【００２７】
第６態様では、ネットワーク装置を提供し、該ネットワーク装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該ネットワーク装置は第２態様又は第２態様の任意の可能な実現方式における方法を実行し、又は該実行によって該ネットワーク装置は第４態様に係るネットワーク装置を実現する。
【００２８】
第７態様では、コンピュータ可読記憶媒体を提供し、前記コンピュータ可読記憶媒体にプログラムが記憶され、前記プログラムによって端末装置は上記第１態様及びその様々な実現方式におけるいずれか１つのデータ伝送方法を実行する。
【００２９】
第８態様では、コンピュータ可読記憶媒体を提供し、前記コンピュータ可読記憶媒体にプログラムが記憶され、前記プログラムによってネットワーク装置は上記第２態様及びその様々な実現方式におけるいずれか１つのデータ伝送方法を実行する。
【００３０】
第９態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第１態様又は第１態様の任意の可能な実現方式における方法を実現することができる。
【００３１】
第１０態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第２態様又は第２態様の任意の可能な実現方式における方法を実現することができる。
【００３２】
第１１態様では、命令を含むコンピュータプログラム製品を提供し、前記コンピュータプログラム製品がコンピュータにおいて実行されるとき、該コンピュータは上記第１態様又は第１態様の任意の可能な実現方式における方法を実行する。
【００３３】
第１２態様、命令を含むコンピュータプログラム製品を提供し、前記コンピュータプログラム製品がコンピュータにおいて実行されるとき、該コンピュータは上記第２態様又は第２態様の任意の可能な実現方式における方法を実行する。
【図面の簡単な説明】
【００３４】
【図１】図１は本願の実施例の応用シーンの模式的なアーキテクチャ図である。
【図２】図２は異なるセルのＳＳ  Ｂｌｏｃｋの周波数領域位置の模式図である。
【図３】図３は本願の実施例のデータ伝送方法の模式的なフローチャートである。
【図４】図４は本願の実施例の帯域幅パートの模式図である。
【図５】図５は本願の実施例の帯域幅パートを決定する方法の模式的なフローチャートである。
【図６】図６は本願の実施例の帯域幅パートを決定する方法の模式的なフローチャートである。
【図７】図７は本願の実施例の帯域幅パートの模式図である。
【図８】図８は本願の実施例の帯域幅パートの模式図である。
【図９】図９は本願の実施例のデータ伝送方法の模式的なフローチャートである。
【図１０】図１０は本願の実施例の端末装置の模式的なブロック図である。
【図１１】図１１は本願の実施例のネットワーク装置の模式的なブロック図である。
【図１２】図１２は本願の実施例の端末装置の構造模式図である。
【図１３】図１３は本願の実施例のネットワーク装置の構造模式図である。
【図１４】図１４は本願の実施例のシステムチップの構造模式図である。
【発明を実施するための形態】
【００３５】
以下、図面を参照しながら、本願の実施例の技術案を説明する。
【００３６】
理解されるべきように、本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）及び将来の５Ｇ通信システム等に適用できる。
【００３７】
本願は端末装置と組み合わせて各実施例を説明する。端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【００３８】
本願はネットワーク装置と組み合わせて各実施例を説明する。ネットワーク装置は端末装置と通信するための装置であってもよく、例えば、ＧＳＭシステム又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又は、該ネットワーク装置は中継所、アクセスポイント、車載装置、ウェアラブルデバイス及び将来の５Ｇネットワークにおけるネットワーク側装置又は将来発展するＰＬＭＮネットワークにおけるネットワーク側装置等であってもよい。
【００３９】
図１は本願の実施例の応用シーンの模式図である。図１における通信システムはネットワーク装置１０及び端末装置２０を備えてもよい。ネットワーク装置１０は端末装置２０に通信サービスを提供し且つコアネットワークにアクセスすることに用いられ、端末装置２０はネットワーク装置１０から送信された同期信号、放送信号等を検索することによりネットワークにアクセスし、それによりネットワークとの通信を行うことができる。図１に示される矢印は端末装置２０とネットワーク装置１０との間のセルラーリンクによるアップリンク／ダウンリンク伝送を示す。
【００４０】
本願の実施例では、ネットワークは公衆陸上移動網（ＰＬＭＮ、Ｐｕｂｌｉｃ  Ｌａｎｄ  Ｍｏｂｉｌｅ  Ｎｅｔｗｏｒｋ）又は端末間（Ｄ２Ｄ、Ｄｅｖｉｃｅ  ｔｏ  Ｄｅｖｉｃｅ）ネットワーク又はマシン対マシン／マン（Ｍ２Ｍ、Ｍａｃｈｉｎｅ  ｔｏ  Ｍａｃｈｉｎｅ／Ｍａｎ）ネットワーク又は他のネットワークを指してもよく、図１は掲げる例の概略模式図に過ぎず、ネットワークには更に他の端末装置が含まれてもよいが、図１には示していない。
【００４１】
５Ｇ新無線（ＮＲ、Ｎｅｗ  Ｒａｄｉｏ）システムにおいて、システム帯域幅は数百ＭＨｚ乃至数ＧＨｚの帯域幅に達する可能性がある。しかしながら、端末装置が動作するとき、常にこのような広い帯域幅を必要とするわけではない。例えば、低データレートで伝送するとき、端末装置は比較的に狭い動作帯域幅を用いればよい。そのため、帯域幅パート（ＢＷＰ、Ｂａｎｄｗｉｄｔｈ  Ｐａｒｔ）の概念が提案されている。ネットワーク装置が端末装置にＢＷＰを設定した後、端末装置は該ＢＷＰにおいてデータの送受信を行えばよく、それによりデータレート伝送時の端末装置の消費電力を効果的に減少させることができる。
【００４２】
５Ｇシステムにおける同期チャネルは同期信号ブロック（ＳＳ  Ｂｌｏｃｋ、Ｓｙｎｃｈｒｏｎｉｚａｔｉｏｎ  Ｓｉｇｎａｌ  Ｂｌｏｃｋ）の形式で伝送され、各ＳＳ  Ｂｌｏｃｋにはプライマリ同期信号（ＰＳＳ、Ｐｒｉｍａｒｙ  Ｓｙｎｃｈｒｏｎｉｚａｔｉｏｎ  Ｓｉｇｎａｌ）、セカンダリ同期信号（ＳＳＳ、Ｓｅｃｏｎｄａｒｙ  Ｓｙｎｃｈｒｏｎｉｚａｔｉｏｎ  Ｓｉｇｎａｌ）、物理ブロードキャストチャネル（ＰＢＣＨ、Ｐｈｙｓｉｃａｌ  Ｂｒｏａｄｃａｓｔ  Ｃｈａｎｎｅｌ）信号等が含まれる。ＬＴＥシステムにおいて、ＰＳＳ、ＳＳＳ及びＰＢＣＨが常にシステム帯域幅の中央位置に位置するが、５Ｇシステムにおいて、ＳＳ  Ｂｌｏｃｋのシステム帯域幅における位置は一定ではなく、ネットワーク装置が配置ニーズに応じて柔軟に設定するものである。このため、例えば端末装置が無線リソース管理（ＲＲＭ、Ｒａｄｉｏ  Ｒｅｓｏｕｒｃｅ  Ｍａｎａｇｅｍｅｎｔ）測定を行うとき、異なるセルからの信号、例えばＳＳ  Ｂｌｏｃｋが異なる周波数位置に位置する可能性があるため、端末装置が異なる周波数位置で異なるセルの信号を測定する必要があるという問題がある。異なるセルからの信号の位置する異なる周波数位置が周波数領域において相違が大きく、例えば図２に示すように、異なるセル（例えばセル１、セル２、セル３、セル４）のＳＳ  ｂｌｏｃｋがそれぞれ異なる周波数位置に位置する場合、端末は比較的に広い受信帯域幅を用いなければすべてのセルのＳＳ  Ｂｌｏｃｋを同時に受信できない。この時、ネットワーク装置が端末装置に設定したデータ伝送のためのＢＷＰは端末装置のＲＲＭ測定を行うニーズを満たせない可能性がある。
【００４３】
本願の実施例では、端末装置のデータ伝送及びＲＲＭ測定を行う異なるニーズに応じて、２つの異なる帯域幅パートを端末装置にそれぞれ設定し、端末装置は異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００４４】
図３は本願の実施例のデータ伝送方法の模式的なフローチャートである。図３に示す方法は端末装置により実行されてもよく、該端末装置は例えば図１に示す端末装置２０であってもよい。図３に示すように、該データ伝送方法は、
端末装置が第１帯域幅パート及び第２帯域幅パートを決定する３１０と、
端末装置が特定の時間領域リソースにおいて該第１帯域幅パートを用いてデータ伝送及びＲＲＭ測定を行い、且つ該特定の時間領域リソース以外の他の時間領域リソースにおいて該第２帯域幅パートを用いて該データ伝送を行う３２０と、を含む。
【００４５】
具体的には、第１帯域幅パート（第１ＢＷＰ）及び第２帯域幅パート（第２ＢＷＰ）はいずれも該端末装置がデータ伝送を行う帯域幅パートであり、且つ第１帯域幅パートは更に端末装置がＲＲＭ測定を行い、例えば測定対象セルからのＳＳ  ｂｌｏｃｋ及び／又は基準信号を測定することに用いられ、該基準信号は例えばチャネル状態指示基準信号（ＣＳＩ−ＲＳ、Ｃｈａｎｎｅｌ  Ｓｔａｔｅ  Ｉｎｄｉｃａｔｉｏｎ  Ｒｅｆｅｒｅｎｃｅ  Ｓｉｇｎａｌ）であってもよい。端末装置は第１帯域幅パート及び第２帯域幅パートを決定した後、特定の時間領域リソースにおいて第１帯域幅パートを用いてデータ伝送を行ってＲＲＭ測定を行い、且つ該特定の時間領域リソース以外の他の時間領域リソースにおいて該第２帯域幅パートを用いて該データ伝送を行うことができる。
【００４６】
選択肢として、該特定の時間領域リソースは時間周期で分布される複数の時間領域リソースを含む。
【００４７】
更に、選択肢として、該時間周期は端末装置が該ＲＲＭ測定を行うための時間周期である。すなわち、端末装置は該時間周期でＲＲＭ測定を行うことができる。
【００４８】
例えば、図４に示すように、端末装置は該時間周期で分布される複数の時間領域リソースにおいて第１帯域幅パートを用いてデータ伝送を行ってＲＲＭ測定を行い、且つ他の時間領域リソースにおいて第２帯域幅パートを用いてデータ伝送を行う。
【００４９】
従って、端末装置は２つの異なる伝送帯域幅を決定して、異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００５０】
理解されるべきように、本願の実施例では、端末装置が第１帯域幅パート及び第２帯域幅パートにおいて該ネットワーク装置とデータ伝送を行うとき、伝送する該データはサービスデータ、シグナリングデータ又は他のタイプのデータを含んでもよく、ここでは制限しない。前記データ伝送は端末装置がネットワーク装置から送信された該データを受信すること又は端末装置がネットワーク装置に該データを送信することを含んでよい。
【００５１】
３１０では、端末装置が第１帯域幅パート及び第２帯域幅パートを決定することは具体的に以下の２つの方式を用いてもよい。
【００５２】
方式１
選択肢として、図５に示すように、３１０は、
端末装置がネットワーク装置から送信された第１設定情報及び第２設定情報を受信し、該第１設定情報は該第１帯域幅パートの帯域幅情報を含み、該第２設定情報は該第２帯域幅パートの帯域幅情報を含む３１１と、
端末装置が該第１設定情報に基づいて該第１帯域幅パートを決定し、該第２設定情報に基づいて該第２帯域幅パートを決定する３１２と、を含んでもよい。
【００５３】
具体的には、該第１設定情報及び第２設定情報はネットワーク装置が設定して第１設定情報及び第２設定情報によって端末装置に指示したものである。端末装置は受信した第１設定情報に基づいて該第１帯域幅パートを決定し、受信した第２設定情報に基づいて該第２帯域幅パートを決定することができる。
【００５４】
方式２
選択肢として、図６に示すように、３１０は、
端末装置がネットワーク装置から送信された第２設定情報及び第３設定情報を受信し、該第２設定情報は該第２帯域幅パートの帯域幅情報を含み、該第３設定情報は該ＲＲＭ測定における端末装置の測定対象の少なくとも１つの信号の占有する帯域の情報を含む３１３と、
端末装置が該第２設定情報に基づいて該第２帯域幅パートを決定し、且つ該第３設定情報に基づいて第３帯域幅パートを決定し、該第３帯域幅パートは該少なくとも１つの信号の占有する帯域を含む３１４と、
端末装置が該第２帯域幅パート及び該第３帯域幅パートに基づき、該第１帯域幅パートを決定する３１５と、を含んでもよい。
【００５５】
具体的には、ネットワーク装置は端末装置に第２設定情報を送信でき、それによって、端末装置は該第２設定情報に基づいて第２帯域幅パートを決定する。同時に、ネットワーク装置は端末装置に第３設定情報を送信でき、該第３設定情報はＲＲＭ測定過程における端末装置の測定対象の少なくとも１つの信号の占有する帯域の情報を含み、それによって、端末装置は該第３設定情報に基づいて第３帯域幅パートを決定し、該第３帯域幅パートは該少なくとも１つの信号の占有する帯域を含む。該少なくとも１つの信号は例えば端末装置の測定対象の少なくとも１つのセルのＳＳ  Ｂｌｏｃｋ及び／又はＣＳＩ−ＲＳを含んでもよい。端末装置は最終的には第２帯域幅パート及び第３帯域幅パートに基づいて第１帯域幅パートを共通に決定する。
【００５６】
選択肢として、第１帯域幅パートは第２帯域幅パート及び第３帯域幅パートを含み、前記第２帯域幅パートと第３帯域幅パートとは少なくとも部分的に重畳してもよく又は重畳しなくてもよい。
【００５７】
例えば、第２帯域幅パートが第３帯域幅パート内にあり、すなわち、第３帯域幅パートが第２帯域幅パートを含む場合、第３帯域幅パートを第１帯域幅パートとして決定してもよく、例えば図７に示す帯域幅パートの模式図に示すように、セル１、セル２、セル３及びセル４を例とすれば、異なるセルから送信されたＳＳ  ｂｌｏｃｋがそれぞれ異なる帯域に位置し、第３帯域幅パートが連続する周波数領域リソースであり、且つ第３帯域幅パートがこの４つのセルから送信されたＳＳ  ｂｌｏｃｋの占有する帯域を含み、且つネットワーク装置が端末装置に設定したデータ伝送のための第２帯域幅パートが該第３帯域幅パートの範囲内にある場合、端末装置は第３帯域幅パートを第１帯域幅パートとして決定することができる。
【００５８】
更に、例えば、第２帯域幅パートと第３帯域幅パートとが重畳しない場合、第１帯域幅パートは少なくとも第２帯域幅パート及び第３帯域幅パートを含むべきであり、例えば図８に示す帯域幅パートの模式図に示すように、セル１、セル２、セル３及びセル４を例とすれば、異なるセルから送信されたＳＳ  ｂｌｏｃｋがそれぞれ異なる帯域に位置し、第２帯域幅パートと第３帯域幅パートとが完全に重畳しない場合、第１帯域幅パートの範囲は第２帯域幅パート及び第３帯域幅パートに跨り、すなわち、第１帯域幅パートには第２帯域幅パート及び第３帯域幅パートが含まれ、且つ第１帯域幅パートは連続する周波数領域リソースである。
【００５９】
当然ながら、第１帯域幅パートは連続しない周波数領域リソースを含んでもよく、例えば、第１帯域幅パートは図８に示す第２帯域幅パート及び第３帯域幅パートのみを含んでもよい。
【００６０】
以上はいずれも端末装置が測定対象の少なくとも１つの信号の占有する帯域の情報を取得でき、これにより、端末装置は第３帯域幅パート及び第２帯域幅パートに基づいて第１帯域幅パートを決定すると仮定したものである。しかしながら、端末装置が測定対象の該少なくとも１つの信号の占有する帯域の情報を正確に取得できない場合、選択肢として、端末装置はシステム帯域幅全体を第１帯域幅パートとすればよく、それによりすべての測定対象セルの信号を効果的に測定するように確保できる。
【００６１】
選択肢として、上記帯域幅情報は中心周波数、帯域幅サイズ及びサブキャリア間隔のうちの少なくとも１つを含んでもよい。
【００６２】
例えば、端末装置は第１帯域幅パートの帯域幅情報に基づき、第１帯域幅パートの中心周波数、帯域幅サイズ及びサブキャリア間隔等を決定することができる。端末装置は第２帯域幅パートの帯域幅情報に基づき、第２帯域幅パートの中心周波数、帯域幅サイズ及びサブキャリア間隔等を決定することができる。
【００６３】
理解されるべきように、本願の実施例における帯域幅パート（ＢＷＰ、Ｂａｎｄｗｉｄｔｈ  Ｐａｒｔ）は更に伝送帯域幅、帯域幅セグメント、帯域幅設定等と称されてもよく、システム帯域幅には複数の帯域幅パートが含まれてもよい。異なる帯域幅パートは異なる帯域幅サイズ及び／又は中心周波数を有してもよく、異なる帯域幅パートにおけるデータ伝送のための基本パラメータセット、例えばサブキャリア間隔等も異なってもよい。
【００６４】
図９は本願の実施例のデータ伝送方法の模式的なフローチャートである。図９に示す方法はネットワーク装置により実行されてもよく、該ネットワーク装置は例えば図１に示されるネットワーク装置１０であってもよい。図９に示すように、該データ伝送方法は、
ネットワーク装置が端末装置に第１設定情報又は第３設定情報を送信し、前記第１設定情報は第１帯域幅パートの帯域幅情報を含み、前記第３設定情報は前記端末装置が無線リソース管理（ＲＲＭ）測定を行うための送信対象の少なくとも１つの信号の占有する帯域の情報を含み、前記第１設定情報及び前記第３設定情報は前記端末装置が前記第１帯域幅パートを決定することに用いられ、そうすると、前記端末装置は特定の時間領域リソースにおいて前記第１帯域幅パートを用いてデータ伝送及び前記ＲＲＭ測定を行う９１０と、
前記ネットワーク装置が前記端末装置に第２設定情報を送信し、前記第２設定情報は前記第２帯域幅パートの帯域幅情報を含み、そうすると、前記端末装置は前記特定の時間領域リソース以外の他の時間領域リソースにおいて前記第２帯域幅パートを用いて前記データ伝送を行う９２０と、を含む。
【００６５】
すなわち、ネットワーク装置は配置ニーズに応じて異なる端末装置に異なる第２帯域幅パートを設定し、そして第２設定情報によって端末装置に該第２帯域幅パートを指示してもよい。同時に、ネットワーク装置は更に複数のセルから送信された端末装置がＲＲＭ測定を行うための少なくとも１つの信号の占有する帯域に基づいて第３帯域幅パートを決定してもよく、最後にはネットワーク装置は第２帯域幅パート及び第３帯域幅パートに基づいて該第１帯域幅パートを共通に決定し、そして第１設定情報によって端末装置に該第１帯域幅パートを指示する。又は、ネットワーク装置は第１設定情報を送信せずに、第３設定情報によって端末装置に該少なくとも１つの信号の占有する帯域の情報を指示してもよく、そうすると、端末装置は第３設定情報及び第２設定情報に基づいて第１帯域幅パートを自分で決定することができる。
【００６６】
従って、ネットワーク装置が端末装置のデータ伝送及びＲＲＭ測定を行う異なるニーズに応じて、２つの異なる帯域幅パートを端末装置に設定することにより、端末装置は異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００６７】
選択肢として、前記ネットワーク装置が前記端末装置に前記第１設定情報を送信する場合、前記方法は、更に、前記ネットワーク装置が前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、前記ネットワーク装置が前記第２帯域幅パート及び前記第３帯域幅パートに基づき、前記第１帯域幅パートを決定することと、を含む。
【００６８】
選択肢として、前記第１帯域幅パートは前記第２帯域幅パート及び第３帯域幅パートを含み、前記第２帯域幅パートと前記第３帯域幅パートとは少なくとも部分的に重畳し又は重畳しない。
【００６９】
選択肢として、前記第１帯域幅パートはシステム帯域幅全体を含む。
【００７０】
選択肢として、前記帯域幅情報は中心周波数、帯域幅サイズ及びサブキャリア間隔のうちの少なくとも１つを含む。
【００７１】
選択肢として、前記特定の時間領域リソースは時間周期で分布される複数の時間領域リソースを含む。
【００７２】
選択肢として、前記時間周期は前記端末装置が前記ＲＲＭ測定を行う時間周期である。
【００７３】
選択肢として、前記端末装置が前記ＲＲＭ測定を行うための送信対象の少なくとも１つの信号は測定対象の少なくとも１つのセルの同期信号ブロック（ＳＳ  Ｂｌｏｃｋ）及び／又はチャネル状態指示基準信号（ＣＳＩ−ＲＳ）を含む。
【００７４】
理解されるべきように、ネットワーク装置が第１帯域幅パート及び第２帯域幅パートを決定する過程は具体的に上記図３〜図８における端末装置の関連説明を参照してもよく、簡潔のため、ここで詳細な説明は省略する。
【００７５】
また理解されるべきように、本願の様々な実施例では、上記各過程の番号の順位は実行順序の前後を意味せず、各過程の実行順序はその機能及び内部論理によって決定されるべきであり、本願の実施例の実施過程を制限するためのものではない。
【００７６】
図１０は本願の実施例に係る端末装置１０００の模式的なブロック図である。図１０に示すように、該端末装置１０００は、
第１帯域幅パート及び第２帯域幅パートを決定するための決定ユニット１０１０と、
特定の時間領域リソースにおいて、前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うための送受信ユニット１０２０と、を備える。
【００７７】
従って、端末装置は２つの異なる伝送帯域幅を決定し、そして異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００７８】
選択肢として、前記送受信ユニット１０２０は、更に、ネットワーク装置から送信された第１設定情報及び第２設定情報を受信し、前記第１設定情報は前記第１帯域幅パートの帯域幅情報を含み、前記第２設定情報は前記第２帯域幅パートの帯域幅情報を含むことに用いられ、
前記決定ユニット１０１０は、具体的に、前記第１設定情報に基づいて前記第１帯域幅パートを決定し、且つ前記第２設定情報に基づいて前記第２帯域幅パートを決定することに用いられる。
【００７９】
選択肢として、前記送受信ユニット１０２０は、更に、ネットワーク装置から送信された第２設定情報及び第３設定情報を受信し、前記第２設定情報は前記第２帯域幅パートの帯域幅情報を含み、前記第３設定情報は前記ＲＲＭ測定における前記端末装置の測定対象の少なくとも１つの信号の占有する帯域の情報を含むことに用いられ、
前記決定ユニット１０１０は、具体的に、前記第２設定情報に基づいて前記第２帯域幅パートを決定し、且つ前記第３設定情報に基づいて第３帯域幅パートを決定し、前記第３帯域幅パートは前記少なくとも１つの信号の占有する帯域を含むことと、前記第２帯域幅パート及び前記第３帯域幅パートに基づき、前記第１帯域幅パートを決定することとに用いられる。
【００８０】
選択肢として、前記第１帯域幅パートは前記第２帯域幅パート及び前記第３帯域幅パートを含み、前記第２帯域幅パートと前記第３帯域幅パートとは少なくとも部分的に重畳し又は重畳しない。
【００８１】
選択肢として、前記第１帯域幅パートはシステム帯域幅全体を含む。
【００８２】
選択肢として、前記帯域幅情報は中心周波数、帯域幅サイズ及びサブキャリア間隔のうちの少なくとも１つを含む。
【００８３】
選択肢として、前記特定の時間領域リソースは時間周期で分布される複数の時間領域リソースを含む。
【００８４】
選択肢として、前記時間周期は前記端末装置が前記ＲＲＭ測定を行うための時間周期である。
【００８５】
選択肢として、前記ＲＲＭ測定における前記端末装置の測定対象の少なくとも１つの信号は測定対象の少なくとも１つのセルの同期信号ブロック（ＳＳ  Ｂｌｏｃｋ）及び／又はチャネル状態指示基準信号（ＣＳＩ−ＲＳ）を含む。
【００８６】
図１１は本願の実施例に係るネットワーク装置１１００の模式的なブロック図である。図１１に示すように、該ネットワーク装置１１００は、
端末装置に第１設定情報又は第３設定情報を送信し、前記第１設定情報は第１帯域幅パートの帯域幅情報を含み、前記第３設定情報は前記端末装置が無線リソース管理（ＲＲＭ）測定を行うための送信対象の少なくとも１つの信号の占有する帯域の情報を含み、前記第１設定情報及び前記第３設定情報は前記端末装置が前記第１帯域幅パートを決定することに用いられ、そうすると、前記端末装置は特定の時間領域リソースにおいて前記第１帯域幅パートを用いてデータ伝送及び前記ＲＲＭ測定を行うことと、
前記端末装置に第２設定情報を送信し、前記第２設定情報は前記第２帯域幅パートの帯域幅情報を含み、そうすると、前記端末装置は前記特定の時間領域リソース以外の他の時間領域リソースにおいて前記第２帯域幅パートを用いて前記データ伝送を行うこととに用いられる送受信ユニット１１１０を備える。
【００８７】
従って、ネットワーク装置が端末装置のデータ伝送及びＲＲＭ測定を行う異なるニーズに応じて、２つの異なる帯域幅パートを端末装置に設定することにより、端末装置は異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００８８】
選択肢として、前記ネットワーク装置は更に、前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、前記第２帯域幅パート及び前記第３帯域幅パートに基づき、前記第１帯域幅パートを決定することとに用いられる決定ユニット１１２０を備える。
【００８９】
選択肢として、前記第１帯域幅パートは前記第２帯域幅パート及び第３帯域幅パートを含み、前記第２帯域幅パートと前記第３帯域幅パートとは少なくとも部分的に重畳し又は重畳しない。
【００９０】
選択肢として、前記第１帯域幅パートはシステム帯域幅全体を含む。
【００９１】
選択肢として、前記帯域幅情報は中心周波数、帯域幅サイズ及びサブキャリア間隔のうちの少なくとも１つを含む。
【００９２】
選択肢として、前記特定の時間領域リソースは時間周期で分布される複数の時間領域リソースを含む。
【００９３】
選択肢として、前記時間周期は前記端末装置が前記ＲＲＭ測定を行う時間周期である。
【００９４】
選択肢として、前記端末装置が前記ＲＲＭ測定を行うための送信対象の少なくとも１つの信号は測定対象の少なくとも１つのセルの同期信号ブロック（ＳＳ  Ｂｌｏｃｋ）及び／又はチャネル状態指示基準信号（ＣＳＩ−ＲＳ）を含む。
【００９５】
図１２は本願の実施例に係る端末装置１２００の構造模式図である。図１２に示すように、該端末装置はプロセッサ１２１０、送受信機１２２０及びメモリ１２３０を備え、該プロセッサ１２１０、送受信機１２２０及びメモリ１２３０の間では内部接続経路によって互いに通信する。該メモリ１２３０は命令を記憶することに用いられ、該プロセッサ１２１０は該メモリ１２３０に記憶される命令を実行して、該送受信機１２２０が信号を受信し又は信号を送信するのを制御することに用いられ、該プロセッサ１２１０は、
第１帯域幅パート及び第２帯域幅パートを決定することに用いられ、
該送受信機１２２０は、特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うことに用いられる。
【００９６】
従って、端末装置は２つの異なる伝送帯域幅を決定し、そして異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【００９７】
選択肢として、前記送受信機１２２０は、更に、ネットワーク装置から送信された第１設定情報及び第２設定情報を受信し、第１設定情報は前記第１帯域幅パートの帯域幅情報を含み、前記第２設定情報は前記第２帯域幅パートの帯域幅情報を含むことに用いられ、
前記プロセッサ１２１０は、具体的に、前記第１設定情報に基づいて前記第１帯域幅パートを決定し、且つ前記第２設定情報に基づいて前記第２帯域幅パートを決定することに用いられる。
【００９８】
選択肢として、前記送受信機１２２０は、更に、ネットワーク装置から送信された第２設定情報及び第３設定情報を受信し、前記第２設定情報は前記第２帯域幅パートの帯域幅情報を含み、前記第３設定情報は前記ＲＲＭ測定における前記端末装置の測定対象の少なくとも１つの信号の占有する帯域の情報を含むことに用いられ、
前記プロセッサ１２１０は、具体的に、前記第２設定情報に基づいて前記第２帯域幅パートを決定し、且つ前記第３設定情報に基づいて第３帯域幅パートを決定し、前記第３帯域幅パートは前記少なくとも１つの信号の占有する帯域を含むことと、前記第２帯域幅パート及び前記第３帯域幅パートに基づき、前記第１帯域幅パートを決定することとに用いられる。
【００９９】
選択肢として、前記第１帯域幅パートは前記第２帯域幅パート及び前記第３帯域幅パートを含み、前記第２帯域幅パートと前記第３帯域幅パートとは少なくとも部分的に重畳し又は重畳しない。
【０１００】
選択肢として、前記第１帯域幅パートはシステム帯域幅全体を含む。
【０１０１】
選択肢として、前記帯域幅情報は中心周波数、帯域幅サイズ及びサブキャリア間隔のうちの少なくとも１つを含む。
【０１０２】
選択肢として、前記特定の時間領域リソースは時間周期で分布される複数の時間領域リソースを含む。
【０１０３】
選択肢として、前記時間周期は前記端末装置が前記ＲＲＭ測定を行うための時間周期である。
【０１０４】
選択肢として、前記ＲＲＭ測定における前記端末装置の測定対象の少なくとも１つの信号は測定対象の少なくとも１つのセルの同期信号ブロック（ＳＳ  Ｂｌｏｃｋ）及び／又はチャネル状態指示基準信号（ＣＳＩ−ＲＳ）を含む。
【０１０５】
理解されるべきように、本願の実施例では、該プロセッサ１２１０は中央処理装置（ＣＰＵ、Ｃｅｎｔｒａｌ  Ｐｒｏｃｅｓｓｉｎｇ  Ｕｎｉｔ）であってもよく、該プロセッサ１２１０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサは更にいかなる通常のプロセッサ等であってもよい。
【０１０６】
該メモリ１２３０は読み出し専用メモリ及びランダムアクセスメモリを含んでもよく、プロセッサ１２１０に命令及びデータを提供する。メモリ１２３０の一部は更に不揮発性ランダムアクセスメモリを含んでもよい。
【０１０７】
実現過程において、上記方法の各ステップはプロセッサ１２１０におけるハードウェアの集積論理回路又はソフトウェア形式の命令で完成されてもよい。本願の実施例に開示される位置決定方法のステップはハードウェアプロセッサで遂完成し、又はプロセ完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１２３０に位置し、プロセッサ１２１０がメモリ１２３０における情報を読み取り、そのハードウェアと組み合わせて上記方法のステップを遂行する。重複を避けるため、詳細な説明は省略する。
【０１０８】
本願の実施例に係る端末装置１２００は上記方法３００における方法３００を実行するための端末装置及び本願の実施例に係る端末装置１０００に対応でき、且つ該端末装置１２００における各ユニット又はモジュールはそれぞれ上記方法３００における端末装置の実行する各動作又は処理過程を実行することに用いられ、ここで、重複を避けるため、詳細な説明は省略する。
【０１０９】
図１３は本願の実施例に係るネットワーク装置１３００の構造模式図である。図１３に示すように、該ネットワーク装置はプロセッサ１３１０、送受信機１３２０及びメモリ１３３０を備え、該プロセッサ１３１０、送受信機１３２０及びメモリ１３３０の間では内部接続経路によって互いに通信する。該メモリ１３３０は命令を記憶することに用いられ、該プロセッサ１３１０は該メモリ１３３０に記憶される命令を実行して、該送受信機１３２０が信号を受信し又は信号を送信するのを制御することに用いられる。該送受信機１３２０は、
端末装置に第１設定情報又は第３設定情報を送信し、前記第１設定情報は第１帯域幅パートの帯域幅情報を含み、前記第３設定情報は前記端末装置が無線リソース管理（ＲＲＭ）測定を行うための送信対象の少なくとも１つの信号の占有する帯域の情報を含み、前記第１設定情報及び前記第３設定情報は前記端末装置が前記第１帯域幅パートを決定することに用いられ、そうすると、前記端末装置は特定の時間領域リソースにおいて前記第１帯域幅パートを用いてデータ伝送及び前記ＲＲＭ測定を行うことができることと、
前記端末装置に第２設定情報を送信し、前記第２設定情報は前記第２帯域幅パートの帯域幅情報を含み、そうすると、前記端末装置は前記特定の時間領域リソース以外の他の時間領域リソースにおいて前記第２帯域幅パートを用いて前記データ伝送を行うこととに用いられる。
【０１１０】
従って、ネットワーク装置が端末装置のデータ伝送及びＲＲＭ測定を行う異なるニーズに応じて、２つの異なる帯域幅パートを端末装置に設定することにより、端末装置は異なる操作を実行する際に異なる帯域幅パートを用い、データ伝送及びＲＲＭ測定を行う際に用いる帯域幅パートとデータ伝送のみを行う際に用いる帯域幅パートとが異なり、それによって、端末装置は対応する帯域幅パートにおいてデータ伝送を効果的に行うとともに、ＲＲＭ測定ニーズを満たすことができる。
【０１１１】
選択肢として、前記プロセッサ１３１０は、前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、前記第２帯域幅パート及び前記第３帯域幅パートに基づき、前記第１帯域幅パートを決定することとに用いられる。
【０１１２】
選択肢として、前記第１帯域幅パートは前記第２帯域幅パート及び第３帯域幅パートを含み、前記第２帯域幅パートと前記第３帯域幅パートとは少なくとも部分的に重畳し又は重畳しない。
【０１１３】
選択肢として、前記第１帯域幅パートはシステム帯域幅全体を含む。
【０１１４】
選択肢として、前記帯域幅情報は中心周波数、帯域幅サイズ及びサブキャリア間隔のうちの少なくとも１つを含む。
【０１１５】
選択肢として、前記特定の時間領域リソースは時間周期で分布される複数の時間領域リソースを含む。
【０１１６】
選択肢として、前記時間周期は前記端末装置が前記ＲＲＭ測定を行う時間周期である。
【０１１７】
選択肢として、前記端末装置が前記ＲＲＭ測定を行うための送信対象の少なくとも１つの信号は測定対象の少なくとも１つのセルの同期信号ブロック（ＳＳ  Ｂｌｏｃｋ）及び／又はチャネル状態指示基準信号（ＣＳＩ−ＲＳ）を含む。
【０１１８】
理解されるべきように、本願の実施例では、該プロセッサ１３１０は中央処理ユニット（ＣＰＵ、Ｃｅｎｔｒａｌ  Ｐｒｏｃｅｓｓｉｎｇ  Ｕｎｉｔ）であってもよく、該プロセッサ１３１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサは更にいかなる通常のプロセッサ等であってもよい。
【０１１９】
該メモリ１３３０は読み出し専用メモリ及びランダムアクセスメモリを含んでもよく、プロセッサ１３１０に命令及びデータを提供する。メモリ１３３０の一部は更に不揮発性ランダムアクセスメモリを含んでもよい。実現過程において、上記方法の各ステップはプロセッサ１３１０におけるハードウェアの集積論理回路又はソフトウェア形式の命令で完成されてもよい。本願の実施例に開示される位置決定方法のステップはハードウェアプロセッサで完成し、又はプロセッサ１３１０におけるハードウェア及びソフトウェアモジュールの組み合わせで完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１３３０に位置し、プロセッサ１３１０がメモリ１３３０における情報を読み取り、そのハードウェアと組み合わせて上記方法のステップを完成する。重複を避けるため、詳細な説明は省略する。
【０１２０】
本願の実施例に係るネットワーク装置１３００は上記方法９００における方法９００を実行するためのネットワーク装置及び本願の実施例に係るネットワーク装置１１００に対応でき、且つ該ネットワーク装置１３００における各ユニット又はモジュールはそれぞれ上記方法９００におけるネットワーク装置の実行する各動作又は処理過程を実行することに用いられ、ここで、重複を避けるため、詳細な説明は省略する。
【０１２１】
図１４は本願の実施例のシステムチップの構造模式図である。図１４におけるシステムチップ１４００は入力インターフェース１４０１、出力インターフェース１４０２、少なくとも１つのプロセッサ１４０３、メモリ１４０４を備え、前記入力インターフェース１４０１、出力インターフェース１４０２、前記プロセッサ１４０３及びメモリ１４０４の間では内部接続経路によって接続される。前記プロセッサ１４０３は前記メモリ１４０４におけるコードを実行することに用いられる。
【０１２２】
選択肢として、前記コードが実行されるとき、前記プロセッサ１４０３は方法実施例における端末装置の実行する方法４００を実現することができる。簡潔のため、ここで詳細な説明は省略する。
【０１２３】
選択肢として、前記コードが実行されるとき、前記プロセッサ１４０３は方法実施例におけるネットワーク装置の実行する方法９００を実現することができる。簡潔のため、ここで詳細な説明は省略する。
【０１２４】
当業者であれば意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えるものと見なされるべきではない。
【０１２５】
当業者であれば明確に理解できるように、説明を容易且つ簡単にするために、上記説明されるシステム、装置及びユニットの具体的な動作過程は、上記方法実施例における対応過程を参照してもよく、ここで詳細な説明は省略する。
【０１２６】
本願に係るいくつかの実施例において、理解されるべきように、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１２７】
分離部材として説明される該ユニットは物理的に分離してもよいし、物理的に分離しなくてもよく、ユニットとして表示される部材は物理ユニットであってもよいし、物理ユニットでなくてもよく、すなわち、一箇所に位置してもよいし、複数のネットワークユニットに配置されてもよい。実際の必要に応じて、その一部又は全部のユニットを選択して本実施例案の目的を実現してもよい。
【０１２８】
また、本願の各実施例では、各機能ユニットは１つの監視ユニットに統合されてもよく、各ユニットは独立して物理的に存在してもよく、２つ又は２つ以上のユニットが１つのユニットに統合されてもよい。
【０１２９】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等）に本願の各実施例に記載の方法の全部又は一部のステップを実行させるための複数の命令を含む。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３０】
以上は本願の具体的な実施形態に過ぎず、本願の実施例の保護範囲を制限するためのものではなく、当業者が本願の実施例に開示される技術的範囲内で容易に想到し得る変更や置換は、いずれも本願の保護範囲内に含まれるべきである。従って、本願の実施例の保護範囲は特許請求の範囲に準じるべきである。
【図１】
2020534720.tif 000003
【図２】
2020534720.tif 000004
【図３】
2020534720.tif 000005
【図４】
2020534720.tif 000006
【図５】
2020534720.tif 000007
【図６】
2020534720.tif 000008
【図７】
2020534720.tif 000009
【図８】
2020534720.tif 000010
【図９】
2020534720.tif 000011
【図１０】
2020534720.tif 000012
【図１１】
2020534720.tif 000013
【図１２】
2020534720.tif 000014
【図１３】
2020534720.tif 000015
【図１４】
2020534720.tif 000016
【手続補正書】
【提出日】令和2年7月22日(2020.7.22)
【手続補正１】
【補正対象書類名】明細書
【補正対象項目名】００１７
【補正方法】変更
【補正の内容】
【００１７】
１つの可能な実現方式では、前記ネットワーク装置が前記端末装置に前記第３設定情報を送信する場合、前記方法は、更に、前記ネットワーク装置が、前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、前記ネットワーク装置が前記第２帯域幅パート及び前記第３帯域幅パートに基づき、前記第１帯域幅パートを決定することと、を含む。
【手続補正２】
【補正対象書類名】明細書
【補正対象項目名】００６７
【補正方法】変更
【補正の内容】
【００６７】
選択肢として、前記ネットワーク装置が前記端末装置に前記第３設定情報を送信する場合、前記方法は、更に、前記ネットワーク装置が前記端末装置の前記ＲＲＭ測定を行うための送信対象の少なくとも１つの信号の占有する帯域の情報に基づいて第３帯域幅パートを決定することを決定し、前記第３帯域幅パートは前記少なくとも１つの信号の占有する帯域を含むことと、前記ネットワーク装置が前記第２帯域幅パート及び前記第３帯域幅パートに基づき、前記第１帯域幅パートを決定することと、を含む。
【手続補正３】
【補正対象書類名】明細書
【補正対象項目名】０１０７
【補正方法】変更
【補正の内容】
【０１０７】
実現過程において、上記方法の各ステップはプロセッサ１２１０におけるハードウェアの集積論理回路又はソフトウェア形式の命令で完成されてもよい。本願の実施例に開示されるデータ伝送方法のステップはハードウェアプロセッサで遂完成し、又はプロセ完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１２３０に位置し、プロセッサ１２１０がメモリ１２３０における情報を読み取り、そのハードウェアと組み合わせて上記方法のステップを遂行する。重複を避けるため、詳細な説明は省略する。
【手続補正４】
【補正対象書類名】明細書
【補正対象項目名】０１１９
【補正方法】変更
【補正の内容】
【０１１９】
該メモリ１３３０は読み出し専用メモリ及びランダムアクセスメモリを含んでもよく、プロセッサ１３１０に命令及びデータを提供する。メモリ１３３０の一部は更に不揮発性ランダムアクセスメモリを含んでもよい。実現過程において、上記方法の各ステップはプロセッサ１３１０におけるハードウェアの集積論理回路又はソフトウェア形式の命令で完成されてもよい。本願の実施例に開示されるデータ伝送方法のステップはハードウェアプロセッサで完成し、又はプロセッサ１３１０におけるハードウェア及びソフトウェアモジュールの組み合わせで完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１３３０に位置し、プロセッサ１３１０がメモリ１３３０における情報を読み取り、そのハードウェアと組み合わせて上記方法のステップを完成する。重複を避けるため、詳細な説明は省略する。
【手続補正５】
【補正対象書類名】特許請求の範囲
【補正対象項目名】全文
【補正方法】変更
【補正の内容】
【特許請求の範囲】
【請求項１】
データ伝送方法であって、
端末装置が第１帯域幅パート及び第２帯域幅パートを決定することと、
前記端末装置が特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うことと、を含むことを特徴とするデータ伝送方法。
【請求項２】
前記端末装置が第１帯域幅パート及び第２帯域幅パートを決定することは、
前記端末装置がネットワーク装置から送信された第１設定情報及び第２設定情報を受信し、前記第１設定情報は前記第１帯域幅パートの帯域幅情報を含み、前記第２設定情報は前記第２帯域幅パートの帯域幅情報を含むことと、
前記端末装置が、前記第１設定情報に基づいて前記第１帯域幅パートを決定し、前記第２設定情報に基づいて前記第２帯域幅パートを決定することと、を含むことを特徴とする請求項１に記載の方法。
【請求項３】
前記第１帯域幅パートがシステム帯域幅全体を含むことを特徴とする請求項１又は２に記載の方法。
【請求項４】
帯域幅情報は中心周波数、帯域幅サイズ及びサブキャリア間隔のうちの少なくとも１つを含むことを特徴とする請求項１〜３のいずれか１項に記載の方法。
【請求項５】
前記特定の時間領域リソースは時間周期で分布される複数の時間領域リソースを含むことを特徴とする請求項１〜４のいずれか１項に記載の方法。
【請求項６】
前記時間周期は前記端末装置が前記ＲＲＭ測定を行うための時間周期であることを特徴とする請求項５に記載の方法。
【請求項７】
前記ＲＲＭ測定における前記端末装置の測定対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含むことを特徴とする請求項１〜６のいずれか１項に記載の方法。
【請求項８】
端末装置であって、
第１帯域幅パート及び第２帯域幅パートを決定するための決定ユニットと、
特定の時間領域リソースにおいて前記第１帯域幅パートを用いてデータ伝送及び無線リソース管理（ＲＲＭ）測定を行い、且つ前記特定の時間領域リソース以外の他の時間領域リソースにおいて前記第２帯域幅パートを用いて前記データ伝送を行うための送受信ユニットと、を備えることを特徴とする端末装置。
【請求項９】
前記送受信ユニットは、更に、
ネットワーク装置から送信された第１設定情報及び第２設定情報を受信し、前記第１設定情報は前記第１帯域幅パートの帯域幅情報を含み、前記第２設定情報は前記第２帯域幅パートの帯域幅情報を含むことに用いられ、
前記決定ユニットは、具体的に、
前記第１設定情報に基づいて前記第１帯域幅パートを決定し、且つ前記第２設定情報に基づいて前記第２帯域幅パートを決定することに用いられることを特徴とする請求項８に記載の端末装置。
【請求項１０】
前記第１帯域幅パートがシステム帯域幅全体を含むことを特徴とする請求項８又は９に記載の端末装置。
【請求項１１】
帯域幅情報は中心周波数、帯域幅サイズ及びサブキャリア間隔のうちの少なくとも１つを含むことを特徴とする請求項８〜１０のいずれか１項に記載の端末装置。
【請求項１２】
前記特定の時間領域リソースは時間周期で分布される複数の時間領域リソースを含むことを特徴とする請求項８〜１１のいずれか１項に記載の端末装置。
【請求項１３】
前記時間周期は前記端末装置が前記ＲＲＭ測定を行うための時間周期であることを特徴とする請求項１２に記載の端末装置。
【請求項１４】
前記ＲＲＭ測定における前記端末装置の測定対象の少なくとも１つの信号は、測定対象の少なくとも１つのセルの同期信号ブロック（ＳＳ  Ｂｌｏｃｋ）及び／又はチャネル状態指示基準信号（ＣＳＩ−ＲＳ）を含むことを特徴とする請求項８〜１３のいずれか１項に記載の端末装置。
【手続補正６】
【補正対象書類名】図面
【補正対象項目名】図３
【補正方法】変更
【補正の内容】
【図３】
2020534720.tif 000017
【手続補正７】
【補正対象書類名】図面
【補正対象項目名】図５
【補正方法】変更
【補正の内容】
【図５】
2020534720.tif 000018
【手続補正８】
【補正対象書類名】図面
【補正対象項目名】図６
【補正方法】変更
【補正の内容】
【図６】
2020534720.tif 000019
【国際調査報告】
2020534720.tif 000020
2020534720.tif 000021
2020534720.tif 000022
2020534720.tif 000023